(57)【特許請求の範囲】
【請求項１】
流入口および／または流出口を形成しかつ下部に泥溜め部を形成するとともに上部に筒状の掃除口部を設けた合成樹脂製桝本体と、この桝本体の掃除口部の上部開口部に嵌着され蓋体を開閉自在に嵌着する蓋受け枠とを備え、
この蓋受け枠は、前記桝本体の掃除口部の上部開口部に嵌着される筒状の嵌着部と、この嵌着部の上部に形成され前記掃除口部の上縁に係合する拡径環部と、この拡径環部の内周部に形成されこの内周部に嵌着された蓋体を開閉自在に支持する蓋受け段部とを有し、
前記嵌着部の外周部に、この嵌着部の軸方向に傾斜され頂部が尖鋭状に形成された複数の突条をこの嵌着部の円周方向に間隔をおいて突設し、この各突条の両側に位置して嵌着部の下縁から切溝を形成し、
前記桝本体はポリプロピレン樹脂にて成型し、前記蓋受け枠をポリプロピレン樹脂より硬質の合成樹脂にて成型したことを特徴とした桝用蓋受け枠の取付け装置。
【請求項２】
蓋受け枠の嵌着部の外周部に形成した突条は、この突条の山高を前記嵌着部の下部側からこの嵌着部の上部側へと漸次高くしたことを特徴とする請求項１記載の桝用蓋受け枠の取付け装置。
【請求項３】
掃除口部の上部外周に円周方向に延びる切断標線を高さ方向に複数条間隔をおいて形成したことを特徴とした請求項１または２記載の桝用蓋受け枠の取付け装置。
【発明の詳細な説明】
【０００１】
【産業上の利用分野】
本発明は宅地内に設置される合成樹脂製雨水桝など合成樹脂製桝の掃除口部の上部に蓋受け枠を取付ける桝用蓋受け枠の取付け装置に関する。
【０００２】
【従来の技術】
従来のこの種の雨水桝はコンクリートにて成型した30cmの角形桝が用いられていた。このコンクリートにて成型した雨水桝は重量が大きく、宅地の狭い箇所での運搬、施工が困難であり、また、コンクリートは衝撃に弱く、衝突で破損するなど配管施工の作業性が悪い問題を有している。そこで、最近、軽量で衝突などて破損しにくく、成形性が良好で薄肉で可撓性を有し大形の射出成形が容易にできる利点を有しているポリプロピレン樹脂にて成型した雨水桝が使用されるようになってきた。
【０００３】
そして、ポリプロピレン樹脂にて成型した雨水桝は上部に掃除口部が筒状に一体に形成し、この掃除口部の上部に蓋体を開閉自在に嵌着する蓋受け枠を取付け、この蓋受け枠に地表面と略同一面になる蓋体を嵌着する構造が採られている。
【０００４】
【発明が解決しようとする課題】
この従来のポリプロピレン樹脂にて成型した雨水桝は塩化ビニル樹脂にて成形した蓋受け枠と接着ができないので、蓋受け枠は筒状の嵌着部を桝本体の掃除口部に嵌着するのみで、外れるおそれがあるなどの問題を有している。
【０００５】
本発明は上記問題点に鑑みなされたもので、簡単な構造で合成樹脂製桝本体の掃除口部の上部開口部に嵌着した蓋受け枠を容易で確実に固定できる桝用蓋受け枠の取付け装置を提供するものである。
【０００６】
【課題を解決するための手段】
請求項１記載の発明の桝用蓋受け枠の取付け装置は、流入口および／または流出口を形成しかつ下部に泥溜め部を形成するとともに上部に筒状の掃除口部を設けた合成樹脂製桝本体と、この桝本体の掃除口部の上部開口部に嵌着され蓋体を開閉自在に嵌着する蓋受け枠とを備え、この蓋受け枠は、前記桝本体の掃除口部の上部開口部に嵌着される筒状の嵌着部と、この嵌着部の上部に形成され前記掃除口部の上縁に係合する拡径環部と、この拡径環部の内周部に形成されこの内周部に嵌着された蓋体を開閉自在に支持する蓋受け段部とを有し、前記嵌着部の外周部に、この嵌着部の軸方向に傾斜され頂部が尖鋭状に形成された複数の突条をこの嵌着部の円周方向に間隔をおいて突設し、この各突条の両側に位置して嵌着部の下縁から切溝を形成し、前記桝本体はポリプロピレン樹脂にて成型し、前記蓋受け枠をポリプロピレン樹脂より硬質の合成樹脂にて成型したものである。
【０００７】
請求項２記載の発明の桝用蓋受け枠の取付け装置は、請求項１記載の桝用蓋受け枠の取付け装置において、蓋受け枠の嵌着部の外周部に形成した突条は、この突条の山高を前記嵌着部の下部側からこの嵌着部の上部側へと漸次高くしたものである。
【０００８】
請求項３記載の発明の桝用蓋受け枠の取付け装置は、請求項１または２記載の桝用蓋受け枠の取付け装置において、掃除口部の上部外周に円周方向に延びる切断標線を高さ方向に複数条間隔をおいて形成したものである。
【０００９】
【作用】
請求項１記載の発明の桝用蓋受け枠の取付け装置は、合成樹脂製桝本体に設けた掃除口部の上部開口部に蓋受け枠の筒状の嵌着部を円周方向に回動しながら圧入すると、嵌着部に突設した複数の突条は軸方向に傾斜され頂部が尖鋭状に形成されているため、この複数の突条が桝本体の内周面に食い込みながら嵌着され、この嵌着部の上部に形成された拡径環部が掃除口部の上縁に係合する。この嵌着部の複数の突条が桝本体の内周面に食い込むときに、各突条の両側に位置して形成した切溝により嵌着部は部分的に変形して嵌着部を破損することなく圧入できる。また、蓋受け枠の嵌着部に形成した複数の突条が桝本体の内周面に食い込むとき、突条を突設した蓋受け枠は桝本体のポリプロピレン樹脂より硬質の合成樹脂にて成型したため、突条が桝本体の内周面に確実に食い込むことができる。
【００１０】
請求項２記載の発明の桝用蓋受け枠の取付け装置は、蓋受け枠の嵌着部に形成した突条は下端側の山高が低いので、掃除口部に容易に挿入でき、突条が掃除口部に食い込んだ状態で確実に食い込ませることができ、蓋受け枠を掃除口部に確実に取付けることができる。
【００１１】
請求項３記載の発明の桝用蓋受け枠の取付け装置は、掃除口部が桝本体の埋設深さに対して長い場合に掃除口部を適宜に切断してその桝本体を埋設施工する際に、掃除口部の外周に高さ方向に複数条間隔をおいて形成した円周方向に延びる切断標線に合わせて水平に切断でき、蓋受け枠に嵌着した蓋体の上面は地表面と略同一面に設置できる。
【００１２】
【実施例】
本発明の一実施例の構成を図面に基いて説明する。
【００１３】
図１は雨水桝の縦断面図、図２は蓋受け枠の縦断面図、図３は雨水桝の正面図、図４は蓋受け枠の底面図で、図１および図２において、１はポリプロピレン樹脂にて成型した雨水桝本体で、周側面の略中間部に外方に突出した筒状の流出口2aおよび／または流入口2bを形成し、さらに、必要に応じて前記流入口2bと略同一高さ位置に外方に突出した筒状の枝管接続用流入口を形成している。また、前記桝本体１の上部には筒状の掃除口部５を垂直方向に一体に延設形成している。また、この桝本体１の流出口2aおよび／または流入口2bの下部は泥溜め部７に形成されている。
【００１４】
この掃除口部５の外周面には掃除口部５の上部外周面に円周方向に延びる切断標線６を高さ方向に複数条間隔をおいて刻設形成している。
【００１５】
また、前記桝本体１の掃除口部５の上部開口部に蓋受け枠10を嵌着してこの蓋受け枠10に嵌着した蓋体11の上面が地表面と略同一面となるようにする。
【００１６】
そして、雨水排水管の埋設深さが浅く前記桝本体１の埋設深さが浅い場合には、蓋体11の上面が地表面と略同一面となる高さに掃除口部５の上部を標線６に沿って切断することにより前記掃除口部５の端部を水平状に切断する。
【００１７】
また、前記蓋受け枠10は前記桝本体１のポリプロピレン樹脂より硬質の合成樹脂、例えば塩化ビニル樹脂などの合成樹脂にて成型され、この蓋受け枠10は前記桝本体１の掃除口部５の上部開口部に圧入嵌着される外径を有する筒状の嵌着部12と、この嵌着部12の上部に一体に形成され前記掃除口部５の上縁に係合する拡径環部13と、この拡径環部13の内周部に形成され蓋体11を開閉自在に支持する上部を拡径された蓋受け段部14とを有している。
【００１８】
さらに、前記嵌着部12の外周部には、図６に示すように頂部を尖鋭状に形成した複数の突条15がこの嵌着部12の円周方向に間隔をおいて突設されている。この各突条15は、図５に示すように下端側がこの嵌着部12の軸方向に傾斜されるとともに上部が嵌着部12の円周方向に水平状に形成されている。
【００１９】
また、図２および図５に示すように前記嵌着部12には両側に位置してこの嵌着部12の下縁から切溝16が形成されている。
【００２０】
さらに、桝本体１の泥溜め部７には着脱自在に泥受け容器17が収容される。
【００２１】
次にこの実施例の作用について説明する。
【００２２】
合成樹脂製桝本体１に設けた掃除口部５の上部開口部に蓋受け枠10の筒状の嵌着部12を円周方向に回動しながら圧入すると、嵌着部12に突設した複数の突条15は軸方向に傾斜され頂部が尖鋭状に形成されているため、この複数の突条15が桝本体１の内周面に食い込みながら嵌着され、この嵌着部12の上部に形成された拡径環部13が掃除口部５の上縁に係合する。この嵌着部12の複数の突条15が桝本体１の内周面に食い込むときに、各突条15の両側に位置して形成した切溝16により嵌着部12の突条15を形成した部分が部分的に変形して嵌着部12を破損することなく圧入できる。
【００２３】
また、この突条15は下端側から上方に向って山高を漸次高く形成する。
【００２４】
そして、蓋受け枠10の嵌着部12の複数の突条15が桝本体１の内周面に食い込むとき、突条15を突設した蓋受け枠10は桝本体１のポリプロピレン樹脂より硬質の合成樹脂にて成型したため、突条15が桝本体１の内周面に確実に食い込むことができる。
【００２５】
また、桝本体１を設置する場合、雨水排水管の埋設深さが浅く桝本体１の掃除口部５の上部開口部が地表面より突出するときに、掃除口部５を適宜に切断してその掃除口部５を切断する際、掃除口部５の外周に高さ方向に複数条間隔をおいて形成した円周方向に延びる切断標線６に合わせて切断する。このとき、円周方向に延びる切断標線６により掃除口部５は水平に切断できる。そして、この蓋受け枠10に嵌着した蓋体11の上面は地表面と略同一面に設置できる。なお、掃除口部５の外周に形成した標線６は高さ方向に複数条間隔をもって刻設しているので、任意の長さに水平に切断することが容易にできる。
【００２６】
また、突条15は下端側の山高が低いので掃除口部５への挿入が容易となり、また、この突条15は掃除口部５に確実に食い込むことができる。
【００２７】
なお、末端に設置する桝本体１には流入口および枝管接続用流入口は形成する必要がない。
【００２８】
また、前記実施例では、前記蓋受け枠10の嵌着部12に形成した突条15は、図３に示すように下部を傾斜状に形成するとともに上部を水平状に形成したが、傾斜上部のみとすることもできる。
【００２９】
また、前記実施例では、掃除口部５は桝本体１と一体に形成したが、図７に示すように掃除口部５を桝本体１の筒状の掃除口部８の上部開口部に形成した受口９に嵌着する筒状体にて形成することもできる。
【００３０】
【発明の効果】
請求項１記載の発明によれば、合成樹脂製桝本体に設けた掃除口部の上部開口部に取付けられる蓋受け枠は、嵌着部に突設した複数の突条が桝本体の内周面に食い込みながら嵌着され、拡径環部が掃除口部の上縁に係合し、蓋受け枠は簡単な作業で確実に固定され、しかも、嵌着部の複数の突条が桝本体の内周面に食い込むときに、嵌着部は部分的に変形が可能で嵌着部を破損することがない。また、蓋受け枠の嵌着部に形成した複数の突条が桝本体の内周面に食い込むとき、突条が桝本体の内周面に確実に食い込むことができる。
【００３１】
請求項２記載の発明によれば、蓋受け枠の嵌着部を掃除口部に容易に挿入できるとともに確実に取付けることができる。
【００３２】
請求項３記載の発明によれば、掃除口部が桝本体の埋設深さに対して長い場合に掃除口部を適宜に切断してその桝本体を埋設施工する際に、容易に水平に切断でき、蓋受け枠に嵌着した蓋体の上面は地表面と略同一面に設置できる。
【図面の簡単な説明】
【図１】  本発明の一実施例を示す雨水桝の縦断面図である。
【図２】  同上蓋受け枠の縦断面図である。
【図３】  同上雨水桝の正面図である。
【図４】  同上蓋受け枠の底面図である。
【図５】  同上一部の正面図である。
【図６】  図３のａ−ａ線部の縦断面図である。
【図７】  本発明の他の実施例を示す雨水桝の縦断面図である。
【符号の説明】
１    桝本体
2a    流出口
2b    流入口
５    掃除口部
６    標線
７    泥溜め部
10    蓋受け枠
11    蓋体
12    嵌着部
13    拡径環部
14    蓋受け段部
15    突条
16    切溝
【図１】
0003672960.tif 000002
【図２】
0003672960.tif 000003
【図３】
0003672960.tif 000004
【図４】
0003672960.tif 000005
【図５】
0003672960.tif 000006
【図６】
0003672960.tif 000007
【図７】
0003672960.tif 000008